(57)【特許請求の範囲】
【請求項１】
背景画像と合成領域を設定するテンプレートのデータを拡大し、この拡大されたテンプレートの合成領域に画像データを合成する画像処理方法において、前記テンプレートの拡大率を予め求め、この拡大率に基づき合成領域の境界領域幅を設定し、この境界領域幅内まで前記合成領域を拡大し、この拡大した合成領域に前記画像データを合成することを特徴とする画像処理方法。
【請求項２】
背景画像と合成領域を設定するテンプレートのデータを拡大し、この拡大されたテンプレートの合成領域に画像データを合成する画像処理装置において、前記テンプレートの拡大率を予め求め、この拡大率に基づき合成領域の境界領域幅を設定する境界領域幅設定手段と、この境界領域幅内まで合成領域を拡大し、この拡大した合成領域に前記画像データを合成する合成手段とを有することを特徴とする画像処理装置。
【請求項３】
画像データを入力する画像入力手段と、背景画像と合成領域を設定するテンプレートのデータを記憶するテンプレート記憶手段と、このテンプレート記憶手段に記憶された所定のテンプレートを選択する選択手段とを有し、前記駒画像データを前記選択されたテンプレートに合成し、前記入力された画像データのプリントを作成するプリント作成システムにおいて、前記テンプレートの拡大率を予め求め、この拡大率に基づき合成領域の境界領域幅を設定し、この境界領域幅内まで合成領域を拡大し、この拡大した合成領域に前記画像データを合成することを特徴とするプリント作成システム。
【発明の詳細な説明】
【０００１】
【発明の属する技術分野】
この発明は、画像処理方法、画像処理装置及びプリント作成システムに関するものである。
【０００２】
【従来の技術】
従来、ミニラボ店と呼ばれる現像所では、顧客の注文に応じて、オペレータによる有人の操作で通常プリントを作成する作業を行い、即時に顧客に作成したプリントを手渡すものがある。また近年、原稿を光電的に読み取り画像データとし、この画像データに基づきプリントを作成したり、直接入力される画像データ、例えばＣＤ−ＲＯＭや通信回線による画像データに基づき、あるいはデジタルカメラで撮像して複数の駒画像データが記憶されたメモリを有するカードから画像データを読み取りプリントを作成する装置も知られている。
【０００３】
【発明が解決しようとする課題】
ところで、このような画像データに基づきプリントする装置では、画像データを各種の画像処理手法により加工することが可能なため、顧客の注文には、通常プリント作成の他に、例えば、大判プリント作成があったり、画像の回転や配置を行うレイアウトプリント作成があったり、画像に覆い焼きや焼き込み効果を付与する処理、鮮鋭性変換処理などを行い特殊効果を付与した加工プリント作成等があったりする。
【０００４】
このように通常プリント作成のサービスの他に特殊プリント作成のサービスが可能であり、例えば同時プリントサービス時に、注文に応じて背景を有する顧客の好みのプリントにすることができ、例えば１枚の大判に背景を有し複数の駒画像を自由にレイアウトしてプリントすると、アルバムにすることができ、また１駒画像にカットすると、財布や定期入れに入れたりすることができる。
【０００５】
ところで、テンプレートに画像を合成するプリントは、テンプレート内の画像を貼り付ける領域に、テンプレート画像では用いない特定の画像信号値（クロマキー）を書き込んであり、この領域に画像を貼り付ける。実際の合成作業では、テンプレートの画像信号値を読み取り、これと特定の信号値を比較、一致したら対応する位置の貼り付け画像データをテンプレートに書き換え、一致しない場合は何も行わない。この作業は、簡単かつ高速のため、一般に良く用いられる。
【０００６】
ところで、仕上がり画像の品質を向上させようとすると、貼り付ける元画像のサイズは大きいものが必要になる。これに対応するテンプレート画像はさらに大きなものが必要になるが、テンプレートの画像は、額縁模様など単純な構成のものが多くあるが、大きなテンプレート画像をそのまま保持するのはメモリの無駄が大きく不都合である。そこで、テンプレートの画像はテンプレートデザインを保持できる程度の小さなサイズで保存し、画像合成をする直前に必要なサイズまで各種の手法で拡大することとなる。この際、美しい拡大テンプレートの画像を得るには、線形補間法等の画素間を連続的に補間する手法を用いる必要がある。しかし、テンプレートの画像貼り付け境界領域では、テンプレート画像と、クロマキー信号との間でも補間計算が行われるため、貼り付け領域周辺に、テンプレート信号でもなく、クロマキー信号でもない領域が存在してしまう。この状態で画像合成を行うと、前記境界領域には画像が貼り付けられないため、不必要な輪郭が貼り付け画像の周辺に生成されてしまい、見苦しいものとなる。
【０００７】
この発明は、前記の実情に鑑みてなされたもので、写真等の貼り付け画像を、例えば額縁等のテンプレートの画像に貼り付け合成する際、不必要な輪郭が貼り付け画像の周辺に生成されることを防止する画像処理方法、画像処理装置及びプリント作成システムを提供することを目的としている。
【０００８】
【課題を解決するための手段】
前記課題を解決し、かつ目的を達成するために、この発明は、以下のように構成した。
【０００９】
請求項１記載の発明は、『背景画像と合成領域を設定するテンプレートのデータを拡大し、この拡大されたテンプレートの合成領域に画像データを合成する画像処理方法において、前記テンプレートの拡大率を予め求め、この拡大率に基づき合成領域の境界領域幅を設定し、この境界領域幅内まで前記合成領域を拡大し、この拡大した合成領域に前記画像データを合成することを特徴とする画像処理方法。』である。
【００１０】
この請求項１記載の発明によれば、テンプレートの拡大率を予め求め、この拡大率に基づき合成領域の境界領域幅を設定し、この境界領域幅内まで合成領域を拡大し、この拡大した合成領域に画像データを合成するから、写真等の貼り付け画像を、例えば額縁等のテンプレートの画像に貼り付け合成する際、不必要な輪郭が貼り付け画像の周辺に生成されることを防止することができる。
【００１１】
請求項２記載の発明は、『背景画像と合成領域を設定するテンプレートのデータを拡大し、この拡大されたテンプレートの合成領域に画像データを合成する画像処理装置において、前記テンプレートの拡大率を予め求め、この拡大率に基づき合成領域の境界領域幅を設定する境界領域幅設定手段と、この境界領域幅内まで合成領域を拡大し、この拡大した合成領域に前記画像データを合成する合成手段とを有することを特徴とする画像処理装置。』である。
【００１２】
この請求項２記載の発明によれば、テンプレートの拡大率を予め求め、この拡大率に基づき合成領域の境界領域幅を設定し、この境界領域幅内まで合成領域を拡大し、この拡大した合成領域に画像データを合成するから、写真等の貼り付け画像を、例えば額縁等のテンプレートの画像に貼り付け合成する際、不必要な輪郭が貼り付け画像の周辺に生成されることを簡単な装置により防止することができる。
【００１３】
請求項３記載の発明は、『画像データを入力する画像入力手段と、背景画像と合成領域を設定するテンプレートのデータを記憶するテンプレート記憶手段と、このテンプレート記憶手段に記憶された所定のテンプレートを選択する選択手段とを有し、前記駒画像データを前記選択されたテンプレートに合成し、前記入力された画像データのプリントを作成するプリント作成システムにおいて、前記テンプレートの拡大率を予め求め、この拡大率に基づき合成領域の境界領域幅を設定し、この境界領域幅内まで合成領域を拡大し、この拡大した合成領域に前記画像データを合成することを特徴とするプリント作成システム。』である。
【００１４】
この請求項３記載の発明によれば、テンプレートの拡大率を予め求め、この拡大率に基づき合成領域の境界領域幅を設定し、この境界領域幅内まで合成領域を拡大し、この拡大した合成領域に画像データを合成するから、写真等の貼り付け画像を、例えば額縁等のテンプレートの画像に貼り付け合成する際、不必要な輪郭が貼り付け画像の周辺に生成されることがない、良好なプリントを得ることができる。
【００１５】
【発明の実施の形態】
以下、この発明の画像処理方法、画像処理装置及びプリント作成システムの実施の形態を、図面に基づいて説明する。なお、この発明の画像処理方法、画像処理装置及びプリント作成システムは、この実施の形態に限定されるものではない。
【００１６】
図１はプリント作成装置の斜視図である。ここでは、プリント作成装置として、感光材料に露光して現像し、プリントを作成するものが例示されているが、これに限らず、画像データに基づいてプリントを作成できるものであればいかなるものでもよく、例えば、インクジェット方式、電子写真方式のプリント作成装置であってもよい。
【００１７】
この実施の形態のプリント作成装置１は、装置本体２の左側面にマガジン装填部３を備え、装置本体２内には記録媒体である感光材料に露光する露光処理部４と、露光された感光材料を現像処理して乾燥し、プリントを作成する現像処理部５が備えられ、作成されたプリントは装置本体２の右側面に設けられたトレー６に排出される。さらに、装置本体２の内部には、露光処理部４の上方位置に制御部７が備えられている。
【００１８】
また、装置本体２の上部には、ＣＲＴ８が配置されている。ＣＲＴ８の左側に透過原稿読み込み装置であるところのフィルムスキャナ部９が配置され、右側に反射原稿入力装置１０が配置されている。ＣＲＴ８の前側に操作部１１が配置され、この操作部１１に情報入力手段１２が設けられ、情報入力手段１２は、例えばタッチパネル等で構成される。
【００１９】
また、装置本体２の制御部７の位置には、ＰＣカード１３を差し込み可能なＰＣカードセット部１４が設けられており、デジタルカメラで撮像した複数の駒画像データが記憶可能なメモリを有するＰＣカード１３がセットできる。
【００２０】
図２は画像処理方法、画像処理装置及びプリント作成システムの概略構成図である。
【００２１】
プリント作成装置１の制御部７は、情報入力手段１２からの指令情報に基づき、フィルムスキャナ部９や反射原稿入力装置１０からの原稿情報の読み込みを行い、画像データを得てＣＲＴ８に表示する。また、データ蓄積手段７１を備え、データ蓄積手段７１に画像データとそれに対応する注文情報（どの駒の画像から何枚プリントを作成するかの情報、プリントサイズの情報等）とを記憶し順次蓄積する。フィルムスキャナ部９からは、現像済のネガフィルムＮからの駒画像が入力され、反射原稿入力装置１０からは駒画像を印画紙に焼き付けて現像処理したプリントや、各種印刷物等の原稿Ｐからの駒画像が入力される。また、制御部７は、画像処理部７０を有し、この画像処理部７０で画像データを画像処理して露光用画像データを形成し、露光処理部４に送る。露光処理部４では、感光材料に画像の露光が行われ、この感光材料を現像処理部５に送り、露光処理部４で露光された感光材料を現像処理して乾燥し、プリントを作成する。
【００２２】
このプリント作成装置１は、記録媒体から駒画像データを入力する駒画像入力手段８０と、テンプレートのデータを記憶するテンプレート記憶手段８１と、テンプレート記憶手段８１に記憶された所定のテンプレートを選択する選択手段８２とを有する。駒画像入力手段８０は、フィルムスキャナ部９、反射原稿入力装置１０及びＰＣカードセット部１４等から構成され、ネガフィルムＮ、プリントＰ及びＰＣカード１３等の記録媒体から駒画像データを入力する。テンプレート記憶手段８１には、背景画像と合成領域を設定する少なくとも１個のテンプレートのデータが予め記憶されている。選択手段８２は、操作部１１に備えられ、オペレータの操作によりセットしてテンプレート記憶手段８１に予め記憶された複数のテンプレートから所定のテンプレートを選択し、駒画像データは選択されたテンプレートにより合成し、入力された駒画像データのプリントを作成する。このテンプレートによる合成は、周知のクロマキー法によって行なわれる。
【００２３】
このプリント作成装置１の制御部７は、テンプレートの拡大率を予め求め、この拡大率に基づき合成領域の境界領域幅を設定する境界領域幅設定手段７２と、この境界領域幅内まで合成領域を拡大し、この拡大した合成領域に画像データを合成する合成手段７３とを有する。このように境界領域幅設定手段７２は、テンプレートと、仕上がりプリントサイズに応じてテンプレートの拡大率を予め求め、この拡大率に基づき合成領域の境界領域幅を設定し、この境界領域幅内まで合成領域を拡大し、この拡大した合成領域に合成手段７３により画像データを合成するから、写真等の貼り付け画像を、例えば額縁等のテンプレートの画像に貼り付け合成する際、不必要な輪郭が貼り付け画像の周辺に生成されることを簡単な装置により防止することができる。
【００２４】
この駒画像データのプリントの実施の形態を、図３乃至図６に示す。図３の実施の形態の駒画像データのプリントＰ１は、１個の駒画像データを１枚の記録媒体に記録して作成するものであり、所定の模様を有する背景画像Ｐ１ａに、方形の合成領域Ｐ１ｂを設定し、この合成領域Ｐ１ｂに１個の駒画像を合成して記録される。このように１個の駒画像データを１枚の記録媒体のプリントＰ１に記録することで、例えば顧客の注文に応じて財布や定期等に入れたりすることが可能な好みの特殊プリントを作成することができる。
【００２５】
図４の実施の形態の駒画像データのプリントＰ２は、複数の駒画像を１枚の大判の記録媒体に記録して作成するものであり、所定の模様を有する背景画像Ｐ２ａに、３箇所に比較的大きな合成領域Ｐ２ｂを千鳥状に位置をずらして設定し、この３箇所の合成領域Ｐ２ｂにそれぞれ１個の駒画像が合成して記録される。
【００２６】
図５の実施の形態の駒画像データのプリントＰ３は、複数の駒画像を１枚の大判の記録媒体に記録して作成するものであり、所定の模様を有する背景画像Ｐ３ａに、１０箇所に比較的大きな合成領域Ｐ３ｂを整列して設定し、この１０箇所の合成領域Ｐ３ｂにそれぞれ１個の駒画像が合成して記録される。
【００２７】
また、図６に示すように駒画像データのプリントＰ３には、背景の中に切り取り線Ｐ３ｃを記録してもよく、この切り取り線Ｐ３ｃによって容易に、かつ奇麗に切断して財布や定期等に入れたりすることが可能な好みの特殊プリントを作成することができる。
【００２８】
なお、表示手段Ａ、データ蓄積手段７１、テンプレート記憶手段８１、制御部７、フィルムスキャナ部９、反射原稿入力装置１０及びＰＣカードセット部１４は、装置本体２に一体的に設けられているが、いずれか１つ以上を別体として設けてもよい。この場合には、プリント作成装置１は、プリント作成システムとして扱われる。
【００２９】
このように図３乃至図６の実施の形態では、複数の駒画像を有する記録媒体から駒画像データを入力し、背景画像と合成領域を設定する所定のテンプレートを選択し、駒画像データを選択されたテンプレートにより合成し、入力された駒画像データの全てのプリントを行なうことで、注文に応じて背景を有し、かつレイアウトが自由な特殊プリントを作成することができる。
【００３０】
このプリント作成装置１は、駒画像データを選択されたテンプレートによりトリミングして合成し、入力された駒画像データのプリントを作成する。このテンプレートによりトリミングして合成する実施の形態を、図７乃至図９に示す。
【００３１】
この実施の形態では、テンプレート記憶手段８１に、背景画像と合成領域を設定する複数のテンプレートのデータ８１ａが圧縮処理されて記憶されている。テンプレートのデータ８１ａは、合成領域を例えば画像データ値を（０、０、０）と決定し、この画像データ値はテンプレートの画像には用いない。ここで、３つの値が、それぞれｂ，ｇ，ｒの画像信号値を表わす。この複数のテンプレートのデータ８１ａから１つを選択して拡大する。
【００３２】
仕上がり画像の品質を向上させようとすると、貼り付ける元画像のサイズは大きいものが必要になり、これに対応するテンプレート画像はさらに大きなものが必要になるが、テンプレートの画像は、額縁模様など単純な構成のものが多くあり、大きなテンプレート画像をそのまま保持するのはメモリの無駄が大きく不都合である。そこで、テンプレートの画像はテンプレートデザインを保持できる程度の小さなサイズでテンプレート記憶手段８１に保存し、画像合成をする直前に必要なサイズまで各種の手法で拡大し、拡大テンプレートの画像８１ｂを作成し、合成領域８１ｂ１に画像８１ｃを貼り付けて合成する。
【００３３】
この際、拡大テンプレートの画像８１ｂを得るには、線形補間法等の画素間を連続的に補間する手法を用いる必要があるが、テンプレートの画像貼り付け境界領域８１ｄでは、テンプレート画像と、クロマキー信号との間でも補間計算が行われるため、貼り付け領域周辺に、テンプレート信号でもなく、クロマキー信号でもない領域が存在してしまい、この状態で画像合成を行うと、境界領域には画像が貼り付けられないため、不必要な輪郭が貼り付け画像の周辺に生成されてしまい、見苦しいものとなる。
【００３４】
このため図８に示すように、背景画像と合成領域を設定するテンプレートのデータ８１ａを拡大し、この拡大されたテンプレート８１ｂの合成領域８１ｂ１に画像データを合成する画像処理する場合、テンプレートの拡大率を予め求め、この拡大率に基づき合成領域８１ｂ１の境界領域幅Ｄを設定し、この境界領域幅Ｄ内まで合成領域８１ｂ１を拡大し、この拡大した合成領域８１ｂに画像データを合成する。この合成領域８１ｂ１の境界領域幅Ｄは、テンプレートの拡大率によって決まる。
【００３５】
拡大率を以下の式で定義すると、
【００３６】
0003735853.tif 000002
【００３７】
拡大率＞１の時は、拡大率が大きくなると境界領域幅Ｄも大きくなり、
拡大率＝１の時は境界領域幅Ｄ＝０
拡大率＜１（縮小）の時は、境界領域幅Ｄ＞０となる。
【００３８】
境界領域幅Ｄ内には、クロマキー信号と、テンプレート背景画像信号との補間データ値が含まれており、従来ではクロマキー色ではないので、テンプレートの合成領域８１ｂと見なされないため、不自然な輪郭となるが、この実施の形態では、境界領域幅Ｄの内まで合成領域８１ｂ１を拡大し、この拡大した合成領域８１ｂ１に画像データを合成するから、写真等の貼り付け画像を、例えば額縁等のテンプレートの画像に貼り付け合成する際、不必要な輪郭が貼り付け画像の周辺に生成されることを簡単な装置により防止することができ、良好なプリントを得ることができる。
【００３９】
図９は、合成領域を拡大する手法の１例を示す図である。テンプレート上の画素点Ｐ1が、テンプレート背景領域と、合成領域のどちらかに属するかの判断をする際、Ｐ1から半径Ｄの領域内に所定のクロマキー信号が含まれているかを調べ、含まれている場合（図中、半月型のシャ線部）、Ｐ1を合成領域とする手法である。この手法は、単純なクロマキー手法より処理工数がやや多くかかるので、境界領域を含め計算領域を予め特定しておけば必要な計算処理量を抑えることができて、好ましい。
【００４０】
このように背景画像と合成領域を設定するテンプレートのデータ８１ａを拡大する場合、処理時間が長くなるので、テンプレートの拡大率を予め求め、この拡大率に基づき合成領域の境界領域幅Ｄを設定し、予め境界領域の大体の位置を確認しておき、その部分の処理だけを行なうと、高速に処理ができる。
【００４１】
【発明の効果】
前記したように、請求項１記載の発明では、テンプレートの拡大率を予め求め、この拡大率に基づき合成領域の境界領域幅を設定し、この境界領域幅内まで合成領域を拡大し、この拡大した合成領域に画像データを合成するから、写真等の貼り付け画像を、例えば額縁等のテンプレートの画像に貼り付け合成する際、不必要な輪郭が貼り付け画像の周辺に生成されることを防止することができる。
【００４２】
請求項２記載の発明では、テンプレートの拡大率を予め求め、この拡大率に基づき合成領域の境界領域幅を設定し、この境界領域幅内まで合成領域を拡大し、この拡大した合成領域に画像データを合成するから、写真等の貼り付け画像を、例えば額縁等のテンプレートの画像に貼り付け合成する際、不必要な輪郭が貼り付け画像の周辺に生成されることを簡単な装置により防止することができる。
【００４３】
請求項３記載の発明では、テンプレートの拡大率を予め求め、この拡大率に基づき合成領域の境界領域幅を設定し、この境界領域幅内まで合成領域を拡大し、この拡大した合成領域に画像データを合成するから、写真等の貼り付け画像を、例えば額縁等のテンプレートの画像に貼り付け合成する際、不必要な輪郭が貼り付け画像の周辺に生成されることがない、良好なプリントを得ることができる。
【図面の簡単な説明】
【図１】プリント作成装置の斜視図である。
【図２】プリント作成装置の概略構成図である。
【図３】実施の形態の駒画像データのプリントを示す図である。
【図４】実施の形態の駒画像データのプリントを示す図である。
【図５】実施の形態の駒画像データのプリントを示す図である。
【図６】実施の形態の駒画像データのプリントを示す図である。
【図７】テンプレートによる合成を説明する図である。
【図８】この実施の形態のテンプレートによる合成を説明する図である。
【図９】合成領域を拡大する手法の１例を示す図である。
【符号の説明】
１  プリント作成装置
４  露光処理部
５  現像処理部
７  制御部
８  ＣＲＴ
９  フィルムスキャナ部
１０  反射原稿入力装置
１１  操作部
１２  情報入力手段
７０  画像処理部
７１  データ蓄積手段
７２  境界領域幅設定手段
７３  合成手段
８０  駒画像入力手段
８１  テンプレート記憶手段
８２  選択手段
【図１】
0003735853.tif 000003
【図２】
0003735853.tif 000004
【図３】
0003735853.tif 000005
【図４】
0003735853.tif 000006
【図５】
0003735853.tif 000007
【図６】
0003735853.tif 000008
【図７】
0003735853.tif 000009
【図８】
0003735853.tif 000010
【図９】
0003735853.tif 000011